【手続補正書】
【提出日】平成20年9月22日(2008.9.22)
【手続補正１】
【補正対象書類名】明細書
【補正対象項目名】特許請求の範囲
【補正方法】変更
【補正の内容】
【特許請求の範囲】
【請求項１】  デバイスに組み込まれた、サーバからデータを検索するコントローラによって実行される方法であって、
デバイスのインスタンスを識別するコマンドをサーバに送信する段階と、
コマンドに応答して、デバイスのインスタンスに特有のデータをサーバから受信する段階とを含む方法。
【請求項２】  コマンドがデバイスの動作パラメータを含み、データが動作パラメータの更新済みの値を含む、請求項１記載の方法。
【請求項３】  コマンドがデバイスの複数の動作パラメータを含み、データが、動作パラメータの現在の値とは異なる更新済みの値を含む、請求項２記載の方法。
【請求項４】  データが動作パラメータのリストを含み、
方法が、
リストにおける動作パラメータを含む第２のコマンドをサーバに送信する段階と、
第２のコマンドに応答して、第２のコマンドに含まれる動作パラメータのうちの１つまたは複数の動作パラメータの更新済みの値をサーバから受信する段階とをさらに含む、請求項１記載の方法。
【請求項５】  データが、コントローラによって実行すべき動作のリストを含み、
方法が、
リストにおける動作を解析する段階と、
リストにおける動作を実行する段階とをさらに含む、請求項１記載の方法。
【請求項６】  データが、デバイスの環境設定ファイルを含む、請求項１記載の方法。
【請求項７】  コマンドが、デバイスのインスタンスをデバイスタイプならびに／または通し番号および汎用固有識別子のうちの１つもしくは複数によって識別する、請求項１記載の方法。
【請求項８】  組込みコントローラがコマンドをサーバに定期的に送信する、請求項１記載の方法。
【請求項９】  サーバがハイパーテキスト転送プロトコル（Hypertext Transfer Protocol）を実行し、コマンドが拡張マークアップ言語（Extensible Markup Language）コードを含む、請求項１記載の方法。
【請求項10】  データをネットワーク上で、デバイスに組み込まれたコントローラに送信するサーバによって実行される方法であって、
組込みコントローラからコマンドを受信する段階と、
コマンド中の情報からデバイスのインスタンスを識別する段階と、
デバイスのインスタンスに特有のデータを検索する段階と、
データを組込みコントローラに送信する段階とを含む方法。
【請求項11】  コマンドが、デバイスタイプならびに／または通し番号および汎用固有識別子のうちの１つもしくは複数を含み、
デバイスのインスタンスが、デバイスタイプならびに／または通し番号および汎用固有識別子のうちの１つもしくは複数に基づいて識別される、請求項10記載の方法。
【請求項12】  デバイスのインスタンスを識別する前に、コマンドから得たデバイスタイプならびに通し番号および汎用固有識別子のうちの１つまたは複数を解析する段階をさらに含む、請求項11記載の方法。
【請求項13】  コマンドが、デバイスの動作パラメータを含み、
データが、動作パラメータの更新済みの値を含む、請求項10記載の方法。
【請求項14】  データが、デバイス用の動作パラメータのリストを含み、
方法が、
動作パラメータのリストにおける動作パラメータを含む第２のコマンドを組込みコントローラから受信する段階と、
動作パラメータの更新済みの値を得る段階と、
動作パラメータの更新済みの値を組込みコントローラに送信する段階とをさらに含む、請求項10記載の方法。
【請求項15】  データが、デバイスによって実行すべき動作のリストを含む、請求項10記載の方法。
【請求項16】  データが、デバイスの環境設定ファイルを含む、請求項10記載の方法。
【請求項17】  デバイスのインスタンスに特有のデータを受信する段階と、
データをメモリに格納する段階とをさらに含む方法であって、
データはこのメモリから検索される、請求項10記載の方法。
【請求項18】  デバイスのインスタンスに特有のデータが、サーバによって生成されるウェブ・ページを介して受信される、請求項17記載の方法。
【請求項19】  サーバがハイパーテキスト転送プロトコルを実行し、コマンドが拡張マークアップ言語コードを含む、請求項10記載の方法。
【請求項20】  コンピュータ・ネットワーク上で通信することができる、デバイスに組み込まれたコントローラと、
コンピュータ・ネットワーク上で通信することのできるサーバとを含むシステムであって、
組込みコントローラは、デバイスのインスタンスを識別するコマンドをコンピュータ・ネットワーク上でサーバに送信し、サーバは、これに応答して、（ｉ）コマンドに基づいてデバイスのインスタンスを識別し、（ii）デバイスのインスタンスに特有のデータを検索し、（iii）データをコンピュータ・ネットワークを介して組込みコントローラに送信するシステム。
【請求項21】  組込みコントローラをコンピュータ・ネットワークからはリモートアドレス指定できない、請求項20記載のシステム。
【請求項22】  コンピュータ・ネットワークはインタネットを含む、請求項20記載のシステム。
【請求項23】  サーバがハイパーテキスト転送プロトコルを実行し、コマンドが拡張マークアップ言語コードを含む、請求項20記載音システム。
【請求項24】  コンピュータ可読媒体上に格納されており、サーバからデータを検索する場合に、デバイスに組み込まれたコントローラによって実行することができるコンピュータ・プログラムであって、組込みコントローラに以下の段階、すなわち、
デバイスのインスタンスを識別するコマンドをサーバに送信する段階と、
コマンドに応答して、デバイスのインスタンスに特有のデータをサーバから検索する段階とを実行させる指示を含むコンピュータ・プログラム。
【請求項25】  コマンドがデバイスの動作パラメータを含み、データが動作パラメータの更新済みの値を含む、請求項24記載のコンピュータ・プログラム。
【請求項26】  コマンドがデバイスの複数の動作パラメータを含み、データが、動作パラメータの現在の値とは異なる更新済みの値を含む、請求項25記載のコンピュータ・プログラム。
【請求項27】  データが動作パラメータのリストを含み、
コンピュータ・プログラムが、組込みコントローラに以下の段階、すなわち、
リストにおける動作パラメータを含む第２のコマンドをサーバに送信する段階と、
第２のコマンドに応答して、第２のコマンドに含まれる動作パラメータのうちの１つまたは複数の動作パラメータの更新済みの値をサーバから受信する段階とを実行させる指示をさらに含む、請求項24記載のコンピュータ・プログラム。
【請求項28】  データが、コントローラによって実行すべき動作のリストを含み、
コンピュータ・プログラムが、組込みコントローラに以下の段階、すなわち、
リストにおける動作を解析する段階と、
リストにおける動作を実行する段階とを実行させる指示をさらに含む、請求項24記載の方法。
【請求項29】  データが、デバイスの環境設定ファイルを含む、請求項24記載のコンピュータ・プログラム。
【請求項30】  コマンドが、デバイスのインスタンスをデバイスタイプならびに／または通し番号および汎用固有識別子のうちの１つもしくは複数によって識別する、請求項24記載のコンピュータ・プログラム。
【請求項31】  組込みコントローラがコマンドをサーバに定期的に送信する、請求項24記載のコンピュータ・プログラム。
【請求項32】  サーバがハイパーテキスト転送プロトコルを実行し、コマンドが拡張マークアップ言語コードを含む、請求項24記載のコンピュータ・プログラム。
【請求項33】  コンピュータ可読媒体上に格納されており、データをネットワーク上で、デバイスに組み込まれたコントローラに送信する場合に、サーバによって実行することができるコンピュータ・プログラムであって、組込みコントローラに以下の段階、すなわち、
組込みコントローラからコマンドを受信する段階と、
コマンド中の情報からデバイスのインスタンスを識別する段階と、
デバイスのインスタンスに特有のデータを検索する段階と、
データを組込みコントローラに送信する段階とを実行させる指示を含むコンピュータ・プログラム。
【請求項34】  コマンドが、デバイスタイプならびに／または通し番号および汎用固有識別子のうちの１つもしくは複数を含み、
デバイスのインスタンスが、デバイスタイプならびに／または通し番号および汎用固有識別子のうちの１つもしくは複数に基づいて識別される、請求項33記載のコンピュータ・プログラム。
【請求項35】  サーバに、デバイスのインスタンスを識別する前に、コマンドから得たデバイスタイプならびに通し番号および汎用固有識別子のうちの１つまたは複数を解析する段階を実行させる指示をさらに含む、請求項34記載のコンピュータ・プログラム。
【請求項36】  コマンドが、デバイスの動作パラメータを含み、
データが、動作パラメータの更新済みの値を含む、請求項33記載のコンピュータ・プログラム。
【請求項37】  データが、デバイス用の動作パラメータのリストを含み、
コンピュータ・プログラムが、サーバに以下の段階、すなわち、
動作パラメータのリストにおける動作パラメータを含む第２のコマンドを組込みコントローラから受信する段階と、
動作パラメータの更新済みの値を得る段階と、
動作パラメータの更新済みの値を組込みコントローラに送信する段階とを実行させる指示をさらに含む、請求項33記載のコンピュータ・プログラム。
【請求項38】  データが、デバイスによって実行すべき動作のリストを含む、請求項33記載のコンピュータ・プログラム。
【請求項39】  データが、デバイスの環境設定ファイルを含む、請求項33記載のコンピュータ・プログラム。
【請求項40】  サーバに以下の段階、すなわち、
デバイスのインスタンスに特有のデータを受信する段階と、
データをメモリに格納する段階とを実行させる指示をさらに含むコンピュータ・プログラムであって、
データはこのメモリから検索される、請求項33記載のコンピュータ・プログラム。
【請求項41】  デバイスのインスタンスに特有のデータが、サーバによって生成されるウェブ・ページを介して受信される、請求項40記載のコンピュータ・プログラム。
【請求項42】  サーバがハイパーテキスト転送プロトコルを実行し、コマンドが拡張マークアップ言語コードを含む、請求項33記載のコンピュータ・プログラム。
【請求項43】  サーバからデータを検索する装置であって、
実行可能な指示を格納するメモリと、
デバイスのインスタンスを識別するコマンドをサーバに送信することを求める指示、および
コマンドに応答して、デバイスのインスタンスに特有のデータをサーバから受信することを求める指示を実行するコントローラとを含む装置。
【請求項44】  コマンドがデバイスの動作パラメータを含み、データが動作パラメータの更新済みの値を含む、請求項43記載の装置。
【請求項45】  コマンドがデバイスの複数の動作パラメータを含み、データが、動作パラメータの現在の値とは異なる更新済みの値を含む、請求項44記載の装置。
【請求項46】  データが動作パラメータのリストを含み、
装置が、
リストにおける動作パラメータを含む第２のコマンドをサーバに送信することを求める指示と、
第２のコマンドに応答して、第２のコマンドに含まれる動作パラメータのうちの１つまたは複数の動作パラメータの更新済みの値をサーバから受信することを求める指示とを実行する、請求項43記載の装置。
【請求項47】  データが、コントローラによって実行すべき動作のリストを含み、
装置が、
リストにおける動作を解析することを求める指示と、
リストにおける動作を実行することを求める指示とを実行する、請求項43記載の装置。
【請求項48】  データが、デバイスの環境設定ファイルを含む、請求項43記載の装置。
【請求項49】  コマンドが、デバイスのインスタンスをデバイスタイプならびに／または通し番号および汎用固有識別子のうちの１つもしくは複数によって識別する、請求項43記載の装置。
【請求項50】  組込みコントローラがコマンドをサーバに定期的に送信する、請求項43記載の装置。
【請求項51】  サーバがハイパーテキスト転送プロトコルを実行し、コマンドが拡張マークアップ言語コードを含む、請求項43記載の装置。
【請求項52】  データをネットワーク上で、デバイスに組み込まれたコントローラに送信する装置であって、
実行可能な指示を格納するメモリと、
組込みコントローラからコマンドを受信することを求める指示、
コマンド中の情報からデバイスのインスタンスを識別することを求める指示、
デバイスのインスタンスに特有のデータを検索することを求める指示、および
データを組込みコントローラに送信することを求める指示を実行するコントローラとを含む装置。
【請求項53】  コマンドが、デバイスタイプならびに／または通し番号および汎用固有識別子のうちの１つもしくは複数を含み、
デバイスのインスタンスが、デバイスタイプならびに／または通し番号および汎用固有識別子のうちの１つもしくは複数に基づいて識別される、請求項52記載の装置。
【請求項54】  デバイスのインスタンスを識別する前に、コマンドから得たデバイスタイプならびに通し番号および汎用固有識別子のうちの１つまたは複数を解析することを求める指示を実行する、請求項53記載の装置。
【請求項55】  コマンドが、デバイスの動作パラメータを含み、
データが、動作パラメータの更新済みの値を含む、請求項52記載の装置。
【請求項56】  データが、デバイス用の動作パラメータのリストを含み、
装置が、
動作パラメータのリストにおける動作パラメータを含む第２のコマンドを組込みコントローラから受信することを求める指示と、
動作パラメータの更新済みの値を得ることを求める指示と、
動作パラメータの更新済みの値を組込みコントローラに送信することを求める指示とを実行する、請求項52記載の装置。
【請求項57】  データが、デバイスによって実行すべき動作のリストを含む、請求項52記載の装置。
【請求項58】  データが、デバイスの環境設定ファイルを含む、請求項52記載の装置。
【請求項59】  装置が、
デバイスのインスタンスに特有のデータを受信することを求める指示と、
データをメモリに格納することを求める指示とを実行し、
データがこのメモリから検索される、請求項52記載の装置。
【請求項60】  デバイスのインスタンスに特有のデータが、サーバによって生成されるウェブ・ページを介して受信される、請求項59記載の装置。
【請求項61】  装置がハイパーテキスト転送プロトコルを実行し、コマンドが拡張マークアップ言語コードを含む、請求項52記載の装置。